(57)【要約】【課題】暗がり等で視界不良であっても自転車等の横方向から進行してくる他の自動車等に自己の自転車等を認識し易くするための安全標識具の提供。【解決手段】自転車等の前部及び／又は後部に取り付けられる荷物籠１０の側壁部１０ａ，１０ｂに配置された板状の基板部１２と、基板部１２の外表面に塗布又は固着することにより設けられ、光が照射されることにより、発光若しくは前記光を反射する表示部１３とを備える。【選択図】    図１
2004161047.tif 000002
【特許請求の範囲】
【請求項１】
自転車等の前部及び／又は後部に取り付けられる荷物籠の側壁部に配置された板状の基板部と、該基板部の外表面に塗布又は固着することにより設けられ、光が照射されることにより、発光若しくは前記光を反射する表示部とを備えたことを特徴としてなる安全標識具。
【請求項２】
表示部は、Ｘ字状に形成された請求項１に記載の安全標識具。
【請求項３】
基板部は、荷物籠の側壁部に着脱可能に取り付けられる請求項１又は２に記載の安全標識具。
【請求項４】
基板部は、荷物籠の側壁部を構成する請求項１又は２に記載の安全標識具。
【発明の詳細な説明】
【０００１】
【発明の属する技術分野】
本発明は、自転車、原動機付き自転車及び自動二輪（以下自転車等という）の荷物籠に取り付けられ、該自転車等の存在を他の自動車等に認識させるための安全標識具に関する。
【０００２】
【従来の技術】
従来、自転車１等には、図３に示すように、後輪用泥よけ２の後端部、サドル３後端部、ペダル４及び後部荷物籠５等に反射板６，６…等からなる安全標識具を取り付けたり、自動車のヘッドライト等の光が照射されると発光する蛍光部材を備えた襷や衣服等を身に付けたりして、天候による視界不良の場合や、ヘッドライト点灯が必要とされる暗がり等であっても他の自動車等から自身の自転車等を認識し易いようにし、他の自動車の運転者に注意を喚起させ、交通安全を図っている。
【０００３】
また、安全標識具としては、自転車１の車輪のスポーク７に反射材や、発光体を有するリフレクター８を取り付けたものがあり（例えば、特許文献１を参照）、このスポーク７に取り付けられたリフレクター８によって、自転車１の横方向から進行してくる他の自動車等に自転車の存在を認識しやすいようにしている。
【０００４】
【特許文献１】
特開２００１−１３０３１７号公報（第１１図）
【０００５】
【発明が解決しようとする課題】
しかし、上述のような従来の技術では、自転車等の前後方向に対しては、多くの反射板等の安全標識具が設けられているので他の自動車から認識し易いようになっているが、自転車等の横方向に対しては、安全標識具の数が少なく、他の自動車から自転車等を認識し辛いという問題があり、夜間に道路を横断しようとした自転車等を他の自動車が認識することができずにはねてしまうなどの事故が発生している。
【０００６】
また、自転車等の車輪のスポークに取り付けられたリフレクターは、車輪が適度に回転していないと、その標識効果があまり発揮されず、例えば、老齢者がゆっくりと道路を横断するような際には、その効果が薄いという問題がある。
【０００７】
本発明は、このような従来の技術の状況を鑑み、暗がり等で視界不良であっても自転車等の横方向から進行してくる他の自動車等に自己の自転車等を認識し易くするための安全標識具の提供を目的とする。
【０００８】
【課題を解決するための手段】
上述の如き従来の問題を解決し、所期の目的を達成するための請求項１の発明は、自転車等の前部及び／又は後部に取り付けられる荷物籠の側壁部に配置された板状の基板部と、該基板部の外表面に塗布又は固着することにより設けられ、光が照射されることにより、発光若しくは前記光を反射する表示部とを備えたことを特徴とする。
【０００９】
このように構成することによって、横方向より進行してくる他の自動車等に対して、自転車等の存在を好適に認識させることができる。
【００１０】
請求項２の発明は、請求項１の構成に加え、表示部が、Ｘ字状に形成されたことを特徴とする。
【００１１】
このように構成することにより、表示部を点や横線等に形成するよりもインパクトがあり、他の自動車等に認識させやすい。
【００１２】
請求項３の発明は、請求項１又は２の構成に加え、基板部が、荷物籠の側壁部に着脱可能に取り付けられることを特徴とする。
【００１３】
このように構成することにより、既存の荷物籠に容易に取り付けることができる。
【００１４】
請求項４の発明は、請求項１又は２の構成に加え、基板部が、荷物籠の側壁部を構成することを特徴とする。
【００１５】
このように構成することによって、荷物籠そのものに反射表示の機能を持たせることができる。
【００１６】
【発明の実施の形態】
次に、本発明に係る安全標識具の実施の形態を図について説明する。尚、上述の従来例と同一の部分には同一符号を付して説明を省略する。
【００１７】
図１は本発明の実施の一例を示し、符号１は自転車、１０は荷物籠である。
【００１８】
荷物籠１０は、その後壁部が自転車１のハンドル軸部に取付金具を介して支持され、自転車１の前部に取り付けられるようになっている。
【００１９】
この荷物籠１０の左右の両側壁部１０ａ，１０ｂの外側には、安全標識具１１，１１がそれぞれ配置されている。
【００２０】
この安全標識具１１は、荷物籠１０の側壁部外面に取り付けられる基板部１２と、光が照射されることにより、発光若しくは光を反射する表示部１３とを備える。
【００２１】
基板部１２は、スチール、アルミ合金等の金属部材、或いはプラスッチック等の合成樹脂材により荷物籠１０の側壁部外面形状に合わせた板状に形成されている。即ち、基板部１２により荷物籠１０の側壁部１０ａ，１０ｂの外面を覆う形状になっている。
【００２２】
この基板部１２は、図２に示すように、取付け手段により着脱自在に側壁部１０ａ，１０ｂに取り付けられるようになっている。
【００２３】
取付け手段は、荷物籠１０の側壁部１０ａ（１０ｂ）の内側に配置される取付けプレート１４を備え、この取付けプレート１４と基板部１２とにより側壁部１０ａを挟持することにより基板部１２を側壁部１０ａ（１０ｂ）に取り付けるようになっている。
【００２４】
取付けプレート１４は、金属材からなる細長平板状に形成され、基板部１２に設けたボルト挿通孔１２ａに対応する位置に、ネジ穴１４ａが形成されている。
【００２５】
そして、この取付けプレート１４に、基板部１２及び格子状の側壁部１０ａ（１０ｂ）を貫通させたボルト１５，１５…を螺合させ、これを締め付けることにより、基板部１２と取付けプレート１４とにより側壁部１０ａ（１０ｂ）を挟持するようになっている。
【００２６】
表示部１３は、基板部１２の表面に、その対角を結ぶように蛍光塗料を塗布することによりＸ字状に形成し、インパクトがあるようにしている。
【００２７】
尚、基板部表面の蛍光塗料が塗布されていない箇所には、プリント等によって装飾を施してもよく、神社等のお札や交通安全のお守り等を貼着してお守り兼用の安全標識具としてもよい。
【００２８】
このように自転車に設置された荷物籠１０の両側壁部１０ａ，１０ｂに安全標識具１１を備えた事により、自動車のヘッドライトや街灯等に照らされて安全標識具の表示部１３が発光し、他の自動車の運転手に道路を横断しようとしている自転車の存在を認識させることができる。
【００２９】
特に、自転車の前部に取り付けられた荷物籠１０に安全標識具１１を備えれば、表示部１３が自転車の搭乗者より約７０〜８０ｃｍ前方に位置し、地上面に対しても高い位置にあるので、道路を横断する場合にその部分がまず他の自動車の運転手の視覚範囲或いはヘッドライトの照射範囲に表れ、ヘッドライト等を受けて表示部１３が発光することによって、他の自動車の運転手は道路を横断しようとする自転車等の存在をいち早く認識することができ（自転車の手前側約５０〜１００ｍの位置から認識することも可能）、余裕をもって横断者に対して対処することができる。
【００３０】
尚、上述の実施例では、二輪自転車に適用した例を説明したが、その他三輪自転車、原動機付き自転車及び自動二輪にも適用することができ、また、自転車等の前部だけでなく、後部に取り付けられた荷物籠に安全標識具１１を設けてもよい。
【００３１】
また、上述の実施例では、安全標識具１１を荷物籠１０の側壁部に取り付ける例について説明したが、安全標識具１１の基板部１２を荷物籠１０と一体に形成し、荷物籠の側壁部を構成させるようにしてもよい。
【００３２】
また、安全標識具１１を荷物籠１０に取り付ける為の手段は、上述の如くボルト１５と、取付けプレート１４を用いるものの他、好適に荷物籠１０に安全標識具１１を取り付けることができればどのような手段を用いても良い。
【００３３】
反射表示板の表示部について、上述の実施例では、蛍光塗料を塗布することにより形成した例について説明したが、Ｘ字状やその他のインパクトのある形状に形成された反射材や蛍光部材等を基板部表面に固着させることにより形成してもよい。
【００３４】
また、表示部の形状は、上述のＸ字状の他、目立ってインパクトのある形状であればよく、例えば、文字や図形、或いはその組合せにより形成してもよい。
【００３５】
【発明の効果】
上述のように、本発明に係る安全標識具は、荷物籠の側壁部に配置されることによって、自転車等の側面側より接近してくる自動車に自転車等の存在を好適に認識させることができ、荷物籠が自転車等の前部に取り付けられていれば、その自転車等の存在をいち早く自動車の運転手に認識させることができる。
【図面の簡単な説明】
【図１】本発明に係る安全標識具の実施の一例を示す斜視図である。
【図２】同上の安全標識具の荷物籠に対する取付け状態を示す断面図である。
【図３】従来の安全標識具の取付け状態を示す側面図である。
【符号の説明】
１０  荷物籠
１１  安全標識具
１２  基板部
１３  表示部
１４  取付けプレート
１５  ボルト
【図１】
2004161047.tif 000003
【図２】
2004161047.tif 000004
【図３】
2004161047.tif 000005